(57)【特許請求の範囲】
【請求項１】
目標画像の加工条件を含む目標条件を取得する目標条件取得部と、
撮像部による被写体の撮像条件を取得する撮像条件取得部と、
前記撮像部により撮影された画像を加工するための加工条件の内、前記撮像条件に依存する特定加工条件について、前記撮像条件と対応づけてアシスト情報を記憶するアシスト情報記憶部と、
前記特定加工条件に対応する前記アシスト情報を前記撮像条件によって前記アシスト情報記憶部から読み出すアシスト情報取得部と、
該アシスト情報取得部により取得されたアシスト情報を提示する表示部とを備える撮像補助装置。
【請求項２】
被写体を撮影して画像を取得する撮像部と、
請求項１に記載の撮像補助装置と、
前記撮像部により撮影された画像を加工するための加工条件の内、前記撮像条件に依存しない共通加工条件により、前記撮像部により取得された画像を加工する加工部とを備え、
前記表示部が、前記アシスト情報および前記加工部により加工された画像を提示する撮像装置。
【請求項３】
前記撮像部により取得され複数の加工条件によって加工された画像をその加工条件と対応づけて複数記憶する画像記憶部を備え、
前記目標条件取得部が、前記画像記憶部に記憶されているいずれかの画像を目標画像としてその加工条件を取得する請求項２に記載の撮像装置。
【請求項４】
前記目標条件取得部が、複数の加工条件によって加工された画像をその加工条件と対応づけて複数記憶する外部記憶部から読み取る請求項２に記載の撮像装置。
【請求項５】
目標画像の加工条件を含む目標条件を取得するステップと、
被写体を撮像するときの撮像条件を取得するステップと、
撮像された画像を加工するための加工条件の内、前記撮像条件に依存する特定加工条件について、前記特定加工条件と前記撮像条件とを対応づけたアシスト情報を記憶するステップと、
前記特定加工条件に対応する前記アシスト情報を前記撮像条件に基づいて読み出すステップと、
読み出した前記アシスト情報を提示するステップと、を有する撮像補助方法。
【請求項６】
目標画像の加工条件を含む目標条件と、被写体を撮影して画像を取得する撮像部による被写体の撮像条件と、前記撮像部により撮影された画像を加工するための加工条件の内、前記撮像条件に依存する特定加工条件と、に基づいて、ユーザの撮影をアシストするための、前記撮像条件と対応づけたアシスト情報を提示する撮像補助装置。
【請求項７】
目標画像の加工条件を含む目標条件と、被写体を撮影して画像を取得する撮像部による被写体の撮像条件と、前記撮像部により撮影された画像を加工するための加工条件とを取得し、
前記撮像部により撮影された画像を加工するための加工条件の内、前記撮像条件に依存する特定加工条件に対応する、前記撮像条件と対応づけたアシスト情報を取得し、
前記アシスト情報を提示する撮像補助装置。
【発明の詳細な説明】
【技術分野】
【０００１】
本発明は、撮像補助装置および撮像装置に関するものである。
【背景技術】
【０００２】
従来、撮影された画像と共にヘッダ情報として撮影条件を記憶しておき、撮影時にユーザが記憶されているいずれかの画像を選択すると、選択された画像と共に記憶されているヘッダ情報に含まれる撮影条件が設定されるカメラが知られている（例えば、特許文献１参照。）。
また、過去に撮影された画像に付加されている撮影条件情報と、現在の撮影状況情報とを比較し、撮影条件情報を撮影状況情報に応じて補正するカメラが知られている（例えば、特許文献２参照。）。
【先行技術文献】
【特許文献】
【０００３】
【特許文献１】特開平８−８８７９０号公報
【特許文献２】特開２０１３−７７８７６号公報
【発明の概要】
【発明が解決しようとする課題】
【０００４】
しかしながら、特許文献１および特許文献２のカメラでは、過去に取得された画像の撮影条件と同じ撮影条件あるいは現在の撮影状況情報に応じて補正した撮影条件で新たな撮影を行っても、同じ撮影結果を得ることができない場合がある。
例えば、カメラと被写体との距離、ズーム倍率、カメラの姿勢、装着レンズ、装着ストロボ等が異なっている場合に、それらの撮影条件を揃えない限り、過去に取得された画像を再現することが困難であるという不都合がある。
【０００５】
本発明は上述した事情に鑑みてなされたものであって、撮影条件を揃えなくても過去に取得された画像を再現することができる撮像補助装置および撮像装置を提供することを目的としている。
【課題を解決するための手段】
【０００６】
上記目的を達成するために、本発明は以下の手段を提供する。
本発明の第１態様は、目標画像の加工条件を含む目標条件を取得する目標条件取得部と、撮像部による被写体の撮像条件を取得する撮像条件取得部と、前記撮像部により撮影された画像を加工するための加工条件の内、前記撮像条件に依存する特定加工条件について、前記撮像条件と対応づけてアシスト情報を記憶するアシスト情報記憶部と、前記特定加工条件に対応する前記アシスト情報を前記撮像条件によって前記アシスト情報記憶部から読み出すアシスト情報取得部と、該アシスト情報取得部により取得されたアシスト情報を提示する表示部とを備える撮像補助装置を提供する。
【０００７】
本態様によれば、目標条件取得部により目標画像の加工条件である目標条件が取得され、撮像条件取得部により撮像部による被写体の撮像条件が取得される。目標条件取得部により取得された加工条件内に特定加工条件が存在する場合、アシスト情報取得部によりアシスト情報記憶部からアシスト情報が読み出され、表示部に表示される。
表示部に表示されたアシスト情報に従って、ユーザが対処することにより、撮像部側で撮像条件を揃えることができない状態においても、擬似的に撮像条件を整えて、過去に取得された目標画像を再現した画像を取得することができる。
【０００８】
本発明の第２態様は、被写体を撮影して画像を取得する撮像部と、上記撮像補助装置と、前記撮像部により撮影された画像を加工するための加工条件の内、前記撮像条件に依存しない共通加工条件により、前記撮像部により取得された画像を加工する加工部とを備え、前記表示部が、前記アシスト情報および前記加工部により加工された画像を提示する撮像装置を提供する。
本態様によれば、撮像部により取得された被写体の画像が、目標条件取得部により取得された加工条件の内、撮像条件に依存しない共通加工条件により、加工部によって加工され、アシスト情報とともに表示部に表示される。
【０００９】
上記態様においては、前記撮像部により取得され複数の加工条件によって加工された画像をその加工条件と対応づけて複数記憶する画像記憶部を備え、前記目標条件取得部が、前記画像記憶部に記憶されているいずれかの画像を目標画像としてその加工条件を取得してもよい。
このようにすることで、過去に撮像部により取得された画像を画像記憶部に記憶し、ユーザの指定により、目標画像の加工条件が目標条件取得部により取得されることによって、過去に取得された画像を目標として、再現した画像を取得することができる。
【００１０】
また、上記態様においては、前記目標条件取得部が、複数の加工条件によって加工された画像をその加工条件と対応づけて複数記憶する外部記憶部から読み取ってもよい。
このようにすることで、別の撮像部により取得された画像を目標画像として外部記憶部から読み取った加工条件により、再現した画像を取得することができる。
本発明の第３態様は、目標画像の加工条件を含む目標条件を取得するステップと、被写体を撮像するときの撮像条件を取得するステップと、撮像された画像を加工するための加工条件の内、前記撮像条件に依存する特定加工条件について、前記特定加工条件と前記撮像条件とを対応づけたアシスト情報を記憶するステップと、前記特定加工条件に対応する前記アシスト情報を前記撮像条件に基づいて読み出すステップと、読み出した前記アシスト情報を提示するステップと、を有する撮像補助方法を提供する。
本発明の第４態様は、目標画像の加工条件を含む目標条件と、被写体を撮影して画像を取得する撮像部による被写体の撮像条件と、前記撮像部により撮影された画像を加工するための加工条件の内、前記撮像条件に依存する特定加工条件と、に基づいて、ユーザの撮影をアシストするための、前記撮像条件と対応づけたアシスト情報を提示する撮像補助装置を提供する。
本発明の第５態様は、目標画像の加工条件を含む目標条件と、被写体を撮影して画像を取得する撮像部による被写体の撮像条件と、前記撮像部により撮影された画像を加工するための加工条件とを取得し、前記撮像部により撮影された画像を加工するための加工条件の内、前記撮像条件に依存する特定加工条件に対応する、前記撮像条件と対応づけたアシスト情報を取得し、前記アシスト情報を提示する撮像補助装置を提供する。

【発明の効果】
【００１１】
本発明によれば、撮像条件を揃えなくても過去に取得された画像を再現することができるという効果を奏する。
【図面の簡単な説明】
【００１２】
【図１】本発明の一実施形態に係る撮像装置を示すブロック図である。
【図２】図１の撮像装置の画像処理部を詳細に示すブロック図である。
【図３】図１の撮像装置に備えられる撮像シーン記憶部の記憶内容の一例を示す図である。
【図４】図１の撮像装置に備えられる第１加工条件記憶部の記憶内容の一例を示す図である。
【図５】図１の撮像装置に備えられる本発明の一実施形態に係る撮像補助装置を詳細に示すブロック図である。
【図６】図５の撮像補助装置に備えられる第２加工条件記憶部の記憶内容の一例を示す図である。
【図７】図５の撮像補助装置に備えられるアシスト情報記憶部の記憶内容の一例を示す図である。
【図８】図１の撮像装置の作用を説明するフローチャートである。
【図９】図５の撮像補助装置の変形例を示すブロック図である。
【発明を実施するための形態】
【００１３】
以下、本発明の一実施形態に係る撮像装置１について、図面を参照して以下に説明する。
本実施形態に係る撮像装置１は、デジタルカメラであって、図１に示されるように、撮像部２と、該撮像部２を制御する撮像制御部３と、撮像部２により取得された画像を加工して記憶する画像処理部４と、本発明の一実施形態に係る撮像補助装置５とを備えている。
【００１４】
撮像部２は、図示しないレンズ、シャッタ、ＣＣＤ等の撮像素子等を備え、ライブビュー画像もしくはシャッタを半押しした状態で仮撮影された画像を取得することができるようになっている。
撮像制御部３は、装着されているレンズによって定まるＦ値、外光の影響等によって定まるシャッタ速度やＩＳＯ感度あるいは被写体の位置等により定まる焦点距離等の第１撮像条件を自動的にあるいは手動により設定するようになっている。
【００１５】
画像処理部４は、図２に示されるように、撮像制御部３により設定された第１撮像条件を取得する第１撮像条件取得部６と、撮像部２により取得された画像データから特徴量を抽出する特徴量抽出部７とを備えている。画像の特徴量を抽出する方法として、一般物体認識として行われる各種手法を用いることができる。例えば、ＬＢＰ、ＳＩＦＴ、ＳＵＲＦ、ＯＲＢ、ＨＳＶヒストグラム等を抽出する。これらの手法を用いてＳＶＭ等の機械学習により被写体種別を判定するようになっている。
【００１６】
また、画像処理部４は、図２に示されるように、撮像シーン毎に特徴量および第１撮像条件を対応づけて記憶する撮像シーン記憶部８を備えている。撮像シーンとしては被写体を例示することができ、図３に示されるように、「花」、「料理」、「風景」、「建物」のように設定することができる。
また、画像処理部４は、第１撮像条件取得部６により取得された第１撮像条件と、特徴量抽出部７により抽出された画像の特徴量とをキーとして、撮像シーン記憶部８内を探索し、撮像シーンを判別する撮像シーン判別部９を備えている。
【００１７】
また、画像処理部４は、撮像シーンに対応づけて第１加工条件を記憶する第１加工条件記憶部１０と、撮像シーン判別部９により判別された撮像シーンに基づいて第１加工条件記憶部１０から第１加工条件を取得する第１加工条件取得部１１とを備えている。第１加工条件記憶部１０は、例えば、図４にその一部を示すように、撮像シーン、例えば、「花」について、異なる複数の第１加工条件を対応づけたデータを記憶している。第１加工条件としては、「明るさ」、「アスペクト」、「絵作り」、「エフェクト」および「トリミング」を例示することができる。
【００１８】
第１加工条件取得部１１は、第１撮像条件および特徴量によって撮像シーン記憶部８内から探索された撮像シーンに対応する第１加工条件を第１加工条件記憶部１０から予め設定した数、読み出して取得するようになっている。例えば、撮像シーンが「花」であると判別された場合には、第１加工条件記憶部１０内の「花１」、「花２」・・・等の「花」の撮像シーンに対応づけられている予め設定した数の第１加工条件を読み出すようになっている。
【００１９】
そして、画像処理部４は、読み出された予め設定した数の第１加工条件によって、撮像部２により取得された画像を加工する加工部１２と、該加工部１２によって加工された予め設定した数の画像を、各画像の第１加工条件と対応づけて記憶する画像記憶部１３とを備えている。第１加工条件は、各第１加工条件を示す識別情報である「花１」、「花２」・・・等の情報を画像のヘッダ情報として各画像に対応づけられるようになっている。
【００２０】
本実施形態に係る撮像補助装置５は、図５に鎖線で示されるように、目標画像を指定するためにユーザが入力を行う入力部１４と、該入力部１４からの入力に応じて、画像記憶部１３内から目標画像の第１加工条件を取得する目標条件取得部１５と、図６に示されるように、第１加工条件の識別情報である撮像シーンに対応づけて第２加工条件を記憶する第２加工条件記憶部１６と、目標条件取得部１５により取得された目標画像の第１加工条件の識別情報を用いて第２加工条件記憶部１６内から第２加工条件を読み出す第２加工条件取得部１７とを備えている。
【００２１】
また、撮像補助装置５は、ユーザから次の撮影時の目標とする目標画像の選択が入力部１４より行われた際に、撮像装置１に装着されている撮像部２のＦ値、シャッタ速度、ＩＳＯ感度および焦点距離等の第２撮像条件を撮像制御部３から取得する第２撮像条件取得部（撮像条件取得部）１８を備えている。
【００２２】
さらに、本実施形態に係る撮像補助装置５は、第２加工条件の識別情報に対応づけて、アシスト情報を記憶するアシスト情報記憶部１９と、該第２加工条件取得部１７により取得された第２加工条件の識別情報を用いてアシスト情報記憶部１９内からアシスト情報を取得するアシスト情報取得部２０と、取得されたアシスト情報を表示する表示部２１とを備えている。
【００２３】
また、第２加工条件取得部１７により取得された第２加工条件は画像処理部４の加工部１２に送られ、撮像部２により取得された画像を第２加工条件によって加工し、表示部２１に表示するようになっている。
表示部２１は、デジタルカメラに備えられた液晶ディスプレイである。
【００２４】
アシスト情報は、図７に示されるように、第２加工条件取得部１７により取得された第２加工条件の内、第２撮像条件に依存する特定加工条件について、第２撮像条件に応じて設定されている。図７に示す例では、図６の第２加工条件の「花１」において設定されているトリミング情報と「花２」において設定されているアスペクト条件は、特定加工条件であり、アシスト情報記憶部１９にアシスト情報として記憶されている。
【００２５】
すなわち、図４に示す第１加工条件「花１」により加工された画像は、トリミング情報が「Ａ」に設定されており、何かしらのトリミングが行われた結果、被写体が拡大された画像となっている。これに対して、図６に示す第２加工条件「花１」のトリミング情報が特定加工条件であるので、アシスト情報記憶部１９内から第２の撮影条件に応じてアシスト情報を取得する。第２撮像条件として取得された撮像部２に単焦点レンズが装着されている場合には、「被写体に近づきましょう」というアシスト情報が取得されるようになっている。
【００２６】
また、第２撮像条件として取得された撮像部２に手動ズームレンズが装着されている場合には、「ズームリングを回して被写体に寄りましょう」というアシスト情報が取得されるようになっている。さらに、第２撮像条件として取得された撮像部２に電動ズームレンズが装着されている場合には、「テレボタンを押して被写体に寄りましょう」というアシスト情報が取得されるようになっている。
【００２７】
また、図４に示す第１加工条件「花２」により加工された画像は、アスペクト情報が「３：４」に設定されており、３：４へアスペクト変更された画像となっている。これに対して、図６に示す第２加工条件「花２」のアスペクト情報が特定加工条件であるので、アシスト情報記憶部１９内から第２の撮影条件に応じてアシスト情報を取得する。第２撮像条件として取得された撮像部２の姿勢が４：３であった（撮像部２を横に構えている）場合には、図７に示すように、「縦に構えましょう」というアシスト情報が取得される。
【００２８】
一方、第２撮像条件が３：４であった（撮像部２を縦に構えている）場合には、アシスト情報は取得されないようになっている。
取得されたアシスト情報は表示部２１に表示されるようになっている。
また、取得された第２加工条件の内、特定加工条件を除く条件（共通加工条件）は加工部１２に送られ、撮像部２により取得された画像が共通加工条件によって加工された後、表示部２１に表示されるようになっている。
【００２９】
このように構成された本実施形態に係る撮像補助装置５および撮像装置１の作用について以下に説明する。
本実施形態に係る撮像装置１を用いて画像を取得する場合に、レンズ、フラッシュ等の種々の撮像条件を設定して撮像部２を作動させると、図８に示されるように、第１撮像条件取得部６により撮像制御部３から第１撮像条件が取得されるとともに（ステップＳ１）、撮像部２により被写体の画像が取得される（ステップＳ２）。
【００３０】
画像が取得されると、画像が撮像部２から特徴量抽出部７に送られて特徴量が抽出される（ステップＳ３）。抽出された特徴量およびステップＳ１で取得された第１撮像条件は撮像シーン判別部９に送られ、撮像シーン記憶部８内から対応する撮像シーンが読み出される（ステップＳ４）。
【００３１】
判別された撮像シーンは第１加工条件取得部１１に送られて、第１加工条件記憶部１０内から対応する予め設定した数の第１加工条件が読み出される（ステップＳ５）。一例として、６枚の画像を生成する場合、「予め設定した数」は６となる。花を撮影した際の加工条件が予め１００通り準備されている場合には、１駒目では、花の加工条件１から６、２駒目では、花の加工条件７から１３、・・・のように撮影ごとに、予め設定した数の加工パターンを読み込む。また、花の加工条件は１００通り、料理を撮影した場合の加工条件は２００通りのように撮影シーンによって異なる数の加工条件を準備しておいても良い。取得された第１加工条件は加工部１２に送られ、撮像部２により取得された画像に加工が施されて加工画像が生成される（ステップＳ６）。生成された加工画像は第１加工条件とともに画像記憶部１３に記憶される（ステップＳ７）。
【００３２】
このようにして生成された加工画像は、表示部２１に表示される（ステップＳ８）。
表示部２１への表示は、撮像部２により取得された画像（オリジナル画像）といずれかの加工画像とを対比できるように行われる。
例えば、最初にオリジナル画像が表示され、画面のタップにより最初の加工画像に表示が切り替わる。画面のタップにより次の加工画像が順次表示される。表示方法は、この他、オリジナル画像および１枚以上の加工画像を表示部２１に同時に表示する方法を採用してもよい。
【００３３】
この状態で、ユーザは次の撮像の目標とする目標画像を決定する。目標画像の決定は、表示部２１に表示されているいずれかの画像を選択することにより行う（ステップＳ９）。画像の選択は表示部２１に画像に対応づけて表示したアイコンの選択により行ってもよいし、カーソル移動によって行ってもよい。
【００３４】
目標画像が選択されると、選択された目標画像に対応づけて記憶されている第１加工条件が画像記憶部１３から読み出される（ステップＳ１０）。また、第２撮像条件取得部１８により撮像制御部３から第２撮像条件が取得される（ステップＳ１１）。読み出された第１加工条件は、第２加工条件取得部１７に送られ、第２加工条件記憶部１６から対応する第２加工条件が読み出される（ステップＳ１２）。
【００３５】
さらに、第２撮像条件取得部１８により取得された第２撮像条件および第２加工条件取得部１７により取得された第２加工条件は、アシスト情報取得部２０に送られ、アシスト情報記憶部１９から対応するアシスト情報が取得される（ステップＳ１３）。
一方、第２加工条件取得部１７により取得された第２加工条件は加工部１２に送られ、撮像部２により取得された画像が加工部１２において加工される（ステップＳ１４）。
加工画像およびアシスト情報は表示部２１に送られて表示される（ステップＳ１５）。
【００３６】
このように、本実施形態に係る撮像補助装置５および撮像装置１によれば、第２撮像条件に依存する加工条件については第２撮像条件に対応するアシスト情報が提供されるので、撮像条件を揃えることができなくても、過去に取得された画像を再現することができるという利点がある。
【００３７】
すなわち、第１の撮像によって取得された画像がトリミングされている場合においては、第２の撮像時に単焦点レンズが装着されていても、ユーザが被写体に近づくことで、自動トリミングによって取得された画像の一部を切り取らなくても、トリミングをしたのと同様に、被写体を拡大した画像を取得することができる。あるいは、ズームレンズが取り付けられている場合には、ズームアップさせることにより、同様の効果を得ることができる。そして、この場合には、撮像素子により取得された画像を全て使用するので、解像度を低下させることなく目標画像に近い画像を取得することができる。
【００３８】
また、第１の撮像時に撮像部２を縦に構えて撮像した場合に、第２の撮像時に横に構えられている場合には、アシスト情報によってユーザが構え方を縦に変えれば、より広い画角で撮像を行って、解像度を低下させることなく、目標画像に近い画像を取得することができるという利点がある。
【００３９】
なお、本実施形態においては、トリミングおよびアスペクトを特定加工条件として、撮像条件に応じたアシスト情報を提供することとしたが、これに加えて、あるいはこれに代えて、他の加工条件を特定加工条件とすることにしてもよい。例えば、第１の撮像時には外部フラッシュを装着していたが、第２の撮像時には装着していなかった場合に、「外部フラッシュを装着しましょう」というアシスト情報を表示してもよい。この例のように、フラッシュやレンズ等のアクセサリの装着の有無や種類が第１の撮像時と第２の撮像時とで異なる場合に、アシスト情報を表示することによってそれを知らせることにしてもよい。
【００４０】
また、本実施形態においては、撮像装置１において目標画像となる過去画像を複数取得し、加工条件と対応づけて画像記憶部１３に記憶していくものを例示したが、これに代えて、図９に示されるように、目標画像については外部から取得することにしてもよい。
すなわち、撮像補助装置５は、目標条件取得部１５が、外部記憶部２２から目標画像の候補となる候補画像を、ネットワーク２３を介して外部記憶部２２であるサーバから読み込み、ユーザがいずれかの画像を選択することにより、その画像のヘッダに記憶されている第１加工条件が読み取られる。その後の処理は上記実施形態と同様である。
【００４１】
このようにすることで、ユーザが自ら撮像して記憶しておいた画像のみならず、インターネット等のネットワーク通信手段を介して外部から取得した画像を目標画像として、該画像とともに記憶されている第１加工情報から、目標画像に近似する画像を再現することができるという利点がある。この場合に、目標画像が取得された際の第１撮像条件と、これから画像を取得する際の第２撮像条件が異なっても、アシスト情報取得部２０によって取得されたアシスト情報が表示部２１に表示され、ユーザがアシスト情報に従って動作することにより、第１撮像条件を再現できない状況でも目標画像に近似する画像を取得することができる。
【００４２】
なお、外部記憶部２２としてはネットワーク２３を介したサーバを例示したが、これに代えて、着脱式のメモリ装置を採用してもよい。また、ネットワーク２３を介さずに通信を行う無線手段あるいは近距離通信手段によってデータのやりとりを行うメモリ装置を採用してもよい。
【００４３】
また、アシスト情報記憶部１９の他に、図示しない理想条件記憶部を備えていてもよい。シャッタ速度や絞りの組み合わせ、ホワイトバランスなど撮影に必要な設定はデジタルカメラによって自動で設定されるが、撮像シーンの判別結果に対応した理想条件によって、撮像シーン毎にもっと印象的な画像を取得できるようにアシスト情報を表示してもよい。
【００４４】
例えば、撮像シーンの判別結果が「花」である場合、絞り値をできるだけ小さくしてピントが合う範囲を狭くした方がよりよい写真が得られる。したがって、理想条件記憶部には、「花」の絞り値の理想条件として絞り値を小さくするような条件、例えば、Ｆ１．６からＦ３．２が記憶されている。
【００４５】
そして、第２撮像条件から、装着しているレンズでは絞り値をより小さい値に設定できるが、ユーザが設定していないことが判明した場合に、「絞り値をできるだけ小さい値にしてみましょう」というアシスト情報を表示すればよい。
また、このアシスト情報の表示とともに、表示部２１に絞り値を調節するための調節バーを表示することにしてもよい。
【符号の説明】
【００４６】
１  撮像装置
２  撮像部
５  撮像補助装置
１２  加工部
１３  画像記憶部
１５  目標条件取得部
１８  第２撮像条件取得部（撮像条件取得部）
１９  アシスト情報記憶部
２０  アシスト情報取得部
２１  表示部
２２  外部記憶部
【図１】
0006594666.tif 000002
【図２】
0006594666.tif 000003
【図３】
0006594666.tif 000004
【図４】
0006594666.tif 000005
【図５】
0006594666.tif 000006
【図６】
0006594666.tif 000007
【図７】
0006594666.tif 000008
【図８】
0006594666.tif 000009
【図９】
0006594666.tif 000010